(57)【要約】【課題】  本発明は、簡単な構造で製造コストが安く、しかも安定した動作を長期間にわたって維持することができる新規な押出装置及びこの押出装置を備えてなるスライド装置を提供することを目的とする。【解決手段】  基部及びスライダーからなるスライド装置におけるスライダーの移動を補助するための押出装置であって、前記押出装置は、押出機構、被押出部材及び復帰部材からなり、特に、前記スライド装置に対する前記押出装置の取り付けにあたり、スライダーの基部に戻る方向への運動に応じて被復帰部材が連続的ないし段階的に復帰部材から離れるように、移動経路に連続的ないし段階的な傾きを付与することを特徴とする押出装置。【選択図】  図４
2007190310.tif 000002
【特許請求の範囲】
【請求項１】
基部及びスライダーからなるスライド装置におけるスライダーの移動を補助するための押出装置であって、前記押出装置は、
押出部材、一定の移動経路を移動する被復帰部材、前記押出部材及び被復帰部材の移動に付勢力を与えるための付勢手段、前記押出部材及び被復帰部材の移動を阻止する移動阻止手段、前記移動阻止手段を解除するための解除手段からなる押出機構、
前記押出機構における押出部材に押し出される被押出部材、
及び前記被復帰部材を押し戻すことにより移動阻止手段を無効状態から有効状態に復帰する復帰部材からなり、
特に、前記スライド装置に対する前記押出装置の取り付けにあたり、スライダーの基部に戻る方向への運動に応じて被復帰部材が連続的ないし段階的に復帰部材から離れるように、移動経路に連続的ないし段階的な傾きを付与することを特徴とする押出装置。
【請求項２】
押出部材と被復帰部材が共通の部材で構成される請求項１に記載の押出装置。
【請求項３】
押出部材と被復帰部材が独立した部材で構成される請求項１に記載の押出装置。
【請求項４】
付勢手段が、渦巻きバネである請求項１ないし３のいずれか１項に記載の押出装置。
【請求項５】
押出機構が基部に取り付けられ、被押出部材及び復帰部材がスライダーに取り付けられる請求項１ないし４のいずれか１項に記載の押出装置。
【請求項６】
押出機構がスライダーに取り付けられ、被押出部材及び復帰部材が基部に取り付けられる請求項１ないし４のいずれか１項に記載の押出装置。
【請求項７】
スライダーが基部から離れる方向への運動の際における被復帰部材と復帰部材の接触に応じて、前記被復帰部材及び／又は復帰部材が移動ないし変形する請求項１ないし６のいずれか１項に記載の押出装置。
【請求項８】
請求項１ないし７のいずれか１項に記載の押出装置を備えてなることを特徴とするスライド装置。
【請求項９】
基部がキャビネットであり、スライダーが収納ケースである請求項８に記載のスライド装置。
【発明の詳細な説明】
【技術分野】
【０００１】
本発明は、基部及びスライダーからなるスライド装置におけるスライダーの移動を補助するための押出装置及びこの押出装置を備えてなるスライド装置に関する。
【背景技術】
【０００２】
最近のシステムキッチンなどの収納部においては、キャビネットから引出しなどの収納ケースを引き出す動作を補助し、その使い勝手を向上するために、「プッシュオープン式」などと称される押出装置が備えられたものが多くなってきており、通常、このような押出装置を備えた収納部を有するシステムキッチンにおいては、引出しがキャビネットに押込まれた閉状態の際に、引き出し前面に軽い圧力を加えることにより、この圧力がスイッチとなって、引出しが前方に押し出されるように構成されている。
【０００３】
即ち、このような押出装置を備えることにより、皿や小物などの被収納物により両手が塞がっていても、肘や脚或いは臀部などで引き出し前面に軽い圧力を加えるだけで引出しが押し出されるのであり、非常に使い勝手が良く、被収納物を収納する作業が簡便になるのである。
【０００４】
このような押出装置としては、例えば、特許文献1に記載の如き構造の飛び出し装置が提案されている。
【０００５】
【特許文献１】特開２００４−１２１６２３号公報
【０００６】
特許文献1に記載の飛び出し装置は、キャビネットなどの枠体に取り付けられる飛び出し機構、引出しなどの被取付体前方に取り付けられる前方ローラ、及び被取付体後方に取り付けられる後方ローラからなり、前記飛び出し機構には、前記前方ローラに係合するアーム体、前記アーム体に付勢力を与えるための付勢手段、前記アーム体の移動を阻止する移動阻止手段、及び前記移動阻止手段の前記アーム体との係合を解除するための解除手段が備えられたものである。
【０００７】
ここで、この飛び出し装置の動作を説明すると、被取付体が枠体に収まっている状態（閉状態）においては、アーム体の移動が移動阻止手段によって阻止されている。
【０００８】
そして、使用者が被取付体の前面に軽い圧力を加えると、その圧力により、解除手段が移動阻止手段とアーム体との係合を解除し、付勢手段による付勢力によって、アーム体が回転して起き上がると共に引っ張られて前方ローラを押し出すため、該前方ローラが取り付けられた被取付体が枠体から飛び出してくる。
【０００９】
続けて、使用者が枠体から被取付体を更に引き出すと、後方ローラがアーム体の背後から接触するが、アーム体は、背後からの負荷に対して前方に向かって折れ曲がる構造となっているため、後方ローラは折れ曲がったアーム体を速やかに通過し、被取付体が充分に引っ張り出された状態（開状態）となる。
【００１０】
一方、引っ張り出された被取付体を枠体に向かって押し戻すと、アーム体の前方から後方ローラが接触する。
【００１１】
この際、アーム体は前方からの負荷に対しては折れ曲がらない構造となっているため、その状態のまま後方ローラに押されてアーム体が後方に押し戻されるのであるが、最終的に、該アーム体は移動阻止手段と係合すると共に回転して傾くため、当該傾いたアーム体の端部をすり抜けるようにして後方ローラが更に後方に移動し、その後、完全に被取付体を枠体に押し戻すことにより、最初の状態に復帰するのである。
【発明の開示】
【発明が解決しようとする課題】
【００１２】
即ち、このような従来の構成の押出装置（飛び出し装置）にあっては、後方ローラの移動を妨げないようにアーム体に対し、前後移動とは独立した回転運動をさせるといった複雑な動きを付与する必要がある。
【００１３】
しかしながら、アーム体にこのような複雑な動きを付与するということは、必然的にアーム体の取付強度の低下が生じやすくなるのであり、その一方で、当該アーム体は、この種押出装置において最も負荷の係る部位であることから、繰り返しの使用によって破損や変形が生じたり、いわゆるガタが生じたりして、長期的な安定動作が担保できなくなるといった問題がある。
【００１４】
又、アーム体にこのような複雑な動きを要求するためには、部品点数の増加とそれに伴う製造コスト高の問題が生じる。
【００１５】
そこで、本発明者は、このような問題を解決すべく鋭意検討を重ねた結果、基部及びスライダーからなるスライド装置におけるスライダーの移動を補助するための押出装置であって、前記押出装置は、押出部材、一定の移動経路を移動する被復帰部材、前記押出部材及び被復帰部材の移動に付勢力を与えるための付勢手段、前記押出部材及び被復帰部材の移動を阻止する移動阻止手段、前記移動阻止手段を解除するための解除手段からなる押出機構、前記押出機構における押出部材に押し出される被押出部材、及び前記被復帰部材を押し戻すことにより移動阻止手段を無効状態から有効状態に復帰する復帰部材からなり、特に、前記スライド装置に対する前記押出装置の取り付けにあたり、スライダーの基部に戻る方向への運動に応じて被復帰部材が連続的ないし段階的に復帰部材から離れるように、移動経路に連続的ないし段階的な傾きを付与することを特徴とする押出装置（以下、本発明装置と称する。）を完成するに至ったのである。
【００１６】
即ち、本発明者は、この種、基部及びスライダーからなるスライド装置におけるスライダーの移動を補助するための押出装置として、スライダーが基部に戻る方向への運動に応じて、被復帰部材が連続的ないし段階的に復帰部材から離れる移動経路を有する押出機構を採用すれば、該押出機構が非常に簡単且つ頑丈な構造となり、長期的な安定動作が実現できるといった知見を得たのである。
【００１７】
又、押出機構につきこのような構成にすれば、部品点数が減少し、製造コストも削減できるといった知見も得たのである。
【００１８】
本発明は、上記知見に基づき完成されたものであり、簡単な構造で製造コストが安く、しかも安定した動作を長期間にわたって維持することができる新規な押出装置及びこの押出装置を備えてなるスライド装置を提供することを目的とする。
【課題を解決するための手段】
【００１９】
以上の課題を解決する手段である本発明装置は、基部及びスライダーからなるスライド装置におけるスライダーの移動を補助するための押出装置であって、前記押出装置は、押出部材、一定の移動経路を移動する被復帰部材、前記押出部材及び被復帰部材の移動に付勢力を与えるための付勢手段、前記押出部材及び被復帰部材の移動を阻止する移動阻止手段、前記移動阻止手段を解除するための解除手段からなる押出機構、前記押出機構における押出部材に押し出される被押出部材、及び前記被復帰部材を押し戻すことにより、移動阻止手段を無効状態から有効状態に復帰する復帰部材からなり、特に、前記スライド装置に対する前記押出装置の取り付けにあたり、スライダーの基部に戻る方向への運動に応じて被復帰部材が連続的ないし段階的に復帰部材から離れるように、移動経路に連続的ないし段階的な傾きを付与することを特徴とする。
以下、本発明装置について詳細に説明する。
【００２０】
本発明装置は、基部及びスライダーからなるスライド装置におけるスライダーの移動を補助するための押出装置であり、前記スライド装置としては、基部の内側或いは外側に沿ってスライダーが前後移動（スライド運動）するものであれば特に限定されるものではないが、具体的に例えば、キャビネットなどの枠体を基部として、スライダーとしての引出しなどの収納ケースが前後移動する収納装置などを挙げることができる。
【００２１】
そして、本発明装置は、前記スライド装置におけるスライダーの移動を補助するためのものであり、該装置は、「押出機構」、「被押出部材」及び「復帰部材」からなる。
【００２２】
前記押出機構は、押出部材、一定の移動経路を移動する被復帰部材、前記押出部材及び被復帰部材の移動に付勢力を与えるための付勢手段、前記押出部材及び被復帰部材の移動を阻止する移動阻止手段、前記移動阻止手段を解除するための解除手段からなるものであり、係る押出機構においては、移動阻止手段により押出部材及び被復帰部材の移動が阻止されている状態を原点の状態として、解除手段により有効状態の移動阻止手段が無効となると、付勢手段による付勢力が押出部材及び被復帰部材に与えられ、押出部材及び被復帰部材が移動するのであり、一方、付勢力に抗して押出部材及び被復帰部材を原点に戻すと、移動阻止手段が有効になり、押出部材及び被復帰部材の移動が阻止されるのである。
【００２３】
なお、本発明装置においては、押出部材と被復帰部材を独立した部材（部分）として構成するだけではなく、所望により押出部材と被復帰部材を共通の部材（部分）として構成することもできるのであり、この場合、押出部材が被復帰部材の役割を兼ねることになる。
【００２４】
又、本発明装置において前記押出部材及び被復帰部材の移動に付勢力を与えるための付勢手段としては、特に限定されるものではなく、又、押出部材と被復帰部材の各々に独立した複数の付勢手段を備えても良いのであるが、コイルバネや渦巻きバネなどの公知の弾性手段を適宜選択して用いれば良いのであるが、直線的な付勢力を生じるコイルバネよりも、作用点が移動して付勢力の方向が変化する渦巻きバネを用いる方が、付勢力に抗して押出機構を原点に戻す際に必要な労力を適宜調整することができるため好ましい。
【００２５】
又、前記被押出部材は、前記押出機構における押出部材と接触して押し出されると共にこの応力をスライダー（若しくは基部）に伝達し、もってスライダーを移動させるものである。
【００２６】
更に、前記復帰部材は、スライダーの基部に戻る方向への運動に応じて、前記押出機構における復帰部材に接触して押し戻すことにより、押出機構を原点の状態に戻すものである。
【００２７】
即ち、本発明装置は、押出機構により被押出部材を押し出すと共にこの応力をスライダー（若しくは基部）に伝達することにより、スライダーの移動を補助するものであり、その後、復帰部材により、押出機構を原点の状態に復帰するものである。
【００２８】
ここで、スライド装置に対する本発明装置の取り付けについては、主として押出機構を基部に取り付ける一方で、被押出部材及び復帰部材をスライダーに取り付ける方法と、押出機構をスライダーに取り付ける一方で、被押出部材及び復帰部材を基部に取り付ける方法の２通りあり、いずれを採用するかは適宜決定すれば良く、一概に優劣をつけることはできないが、被押出部材や復帰部材に比べて比較的嵩高く、重量も大きい押出機構を基部側に取り付ける方が、スライド装置の安定動作を妨げることがないため一般的に好ましい。
【００２９】
ところで、本発明装置においては、移動阻止手段により押出部材及び被復帰部材の移動が阻止されている状態が原点の状態であり、解除手段により移動阻止手段が無効となると、付勢手段による付勢力が押出部材及び被復帰部材に与えられ、押出部材が移動して被押出部材に接触（係合）し、この応力が伝達されたスライダーが移動するのであるが、更にスライダーが移動すると、復帰部材が被復帰部材に接触することになり、それ以上のスライダーの移動が妨げられることになる。
【００３０】
又、復帰部材が被復帰部材を越えて通過しないと、その後、当該復帰部材により、押出機構を原点の状態に復帰することができなくなる。
【００３１】
そのため、本発明装置においては、スライダーが基部から離れる方向への運動の際における復帰部材と被復帰部材の接触に応じて、前記復帰部材及び／又は被復帰部材が移動ないし変形し、前記スライダーの運動の継続を妨げないようにする必要がある。
【００３２】
ここで、復帰部材及び／又は被復帰部材を移動ないし変形させて、前記スライダーの運動の継続を妨げないようにする手段としては、特に限定されるものではないが、具体的に例えば、復帰部材と被復帰部材の接触に応じて、復帰部材及び／又は被復帰部材が屈曲（回転）するように構成する方法や、復帰部材或いは被復帰部材における接触部分にテーパを設けて、該テーパに沿って復帰部材と被復帰部材が相互にすれ違えるように（乗り越えるように）構成する方法などを挙げることができる。
【００３３】
なお、復帰部材と被復帰部材のいずれを移動ないし変形できるように構成するかは適宜決定すれば良く、一概に優劣をつけることはできないが、比較的負荷の係る被復帰部材の構造を単純化し、その物理的強度を維持するために、復帰部材の方を移動ないし変形するように構成することが一般的に好ましい。
【００３４】
そして、本発明装置においては、前記スライド装置に対する前記押出機構の取り付けにあたり、スライダーの基部に戻る方向への運動に応じて被復帰部材が連続的ないし段階的に復帰部材から離れるように、被復帰部材の移動経路に連続的ないし段階的な傾きを付与する点に最も大きな特徴を有する。
【００３５】
即ち、この種押出装置においては、スライダーの基部に戻る方向への運動に応じて、復帰部材が前記押出機構を原点の状態に戻し、移動阻止手段を無効状態から有効状態へと復帰させるものであるが、押出機構を原点の状態に戻した後は、当該復帰部材が押出機構の次の動きを妨げないようにする必要がある。
【００３６】
そこで、前述の特許文献１においては、アーム体が原点に戻った時点でアーム体が回転運動して傾くようにし、アーム体の端部を後方ローラが通過できるように構成しているのであるが、アーム体にこのような複雑な動きを付与すると強度低下を招き、その一方で、当該アーム体は、この種押出装置において最も負荷の係る部位であることから、繰り返しの使用によって破損や変形が生じたり、いわゆるガタが生じたりして、長期的な安定動作が担保できなくなるといった問題が生じる。
【００３７】
この点につき、本発明装置においては、スライド装置に対する押出機構の取り付けにあたり、スライダーの基部に戻る方向への運動に応じて被復帰部材が連続的ないし段階的に復帰部材から離れるように、被復帰部材の移動経路につき、スライダーの運動方向に対する連続的ないし段階的な傾きを付与しているから、被復帰部材が移動経路に沿って移動するだけの単純な動きをするだけで被復帰部材が連続的ないし段階的に復帰部材から離れ、押出機構を原点の状態に戻した後は、復帰部材が速やかに被復帰部材の端部をすり抜けて通過するのであり、これより、該押出機構が非常に簡単且つ頑丈な構造となり、長期的な安定動作が実現できるのである。
【００３８】
なお、被復帰部材の移動経路については、直線的な移動経路、曲線的な移動経路、屈曲した移動経路のいずれでも良く、結局、復帰部材に押されて前記移動経路を戻る被復帰部材が連続的ないし段階的に復帰部材から離れ、原点に戻った後に、復帰部材が速やかに被復帰部材の端部をすり抜けて通過するようにすれば良いのである。
【００３９】
本発明のスライド装置は、前記本発明装置を備えてなることを特徴とするものであり、このスライド装置としては、基部の内側或いは外側に沿ってスライダーが前後移動（スライド運動）するものであれば特に限定されるものではないが、具体的に例えば、キャビネットなどの枠体を基部として、スライダーとしての引出しなどの収納ケースが前後移動する収納装置などを挙げることができる。
【００４０】
そして、本発明装置を備えてなるスライド装置は、スライダーの前面などに軽い圧力を加えることにより、この圧力がスイッチとなって、スライダーが前方に押し出されるように構成することができるから、被収納物により両手が塞がっていても、肘や脚或いは臀部などで引き出し前面に軽い圧力を加えるだけで引出しが押し出されるのであり、非常に使い勝手が良く、被収納物を収納する作業が簡便になるのである。
【発明の効果】
【００４１】
本発明は、前記構成を有し、簡単な構造で製造コストが安く、しかも安定した動作を長期間にわたって維持することができる新規な押出装置及びこの押出装置を備えてなるスライド装置である。
【００４２】
即ち、本発明装置においては、スライド装置に対する押出機構の取り付けにあたり、スライダーの基部に戻る方向への運動に応じて被復帰部材が連続的ないし段階的に復帰部材から離れるように、被復帰部材の移動経路につき、スライダーの運動方向に対する連続的ないし段階的な傾きを付与しているから、被復帰部材が移動経路に沿って移動するだけの単純な動きをするだけで被復帰部材が連続的ないし段階的に復帰部材から離れ、押出機構を原点の状態に戻した後は、復帰部材が速やかに被復帰部材の端部をすり抜けて通過するのであり、これより、該押出機構が非常に簡単且つ頑丈な構造となり、長期的な安定動作が実現できるのである。
【００４３】
又、本発明装置においては、このような構成を採用しているから、部品点数が減少し、製造コストも削減できるのである。
【００４４】
一方、本発明のスライド装置は、本発明装置を備えてなるものであり、スライダーの前面などに軽い圧力を加えることにより、この圧力がスイッチとなって、スライダーが前方に押し出されるように構成することができるから、被収納物により両手が塞がっていても、肘や脚或いは臀部などで引き出し前面に軽い圧力を加えるだけで引出しが押し出されるのであり、非常に使い勝手が良く、被収納物を収納する作業が簡便になるのである。
【発明を実施するための最良の形態】
【００４５】
以下、本発明の実施例を説明するが、本発明はこの実施例に限定されるものではない。
【実施例１】
【００４６】
図１は、実施例１に係る本発明の押出装置１における押出機構２を示す模式図（（ａ）正面図、（ｂ）右側面図）であり、この押出機構２は、押出機構本体２６、移動経路２２としての直線状のガイドに沿って移動する押出部材２１、前記押出部材２１の移動に付勢力を与えるための付勢手段２３としての引きバネ、前記押出部材２１の移動を阻止する移動阻止手段２４、前記移動阻止手段２４を解除するための解除手段２５からなるものである。
【００４７】
そして、この押出機構２においては、移動阻止手段２４に押出部材２１が係合し、その移動が阻止されている状態が原点であり（実線で表記）、解除手段２５の端部に図中Ａの方向から圧力が加わると、移動阻止手段２４と押出部材２１の係合が解かれると共に付勢手段２３による付勢力が押出部材２１に与えられ、移動経路２２に沿って押出部材２１が移動するのである（破線で表記）。
【００４８】
一方、付勢手段２３の付勢力に抗して押出部材２１を原点に戻すと、再び移動阻止手段２３と押出部材が係合し、押出部材２１の移動が阻止されるのである。
【００４９】
即ち、本実施例１に係る押出機構２においては、押出部材２１が被復帰部材の役割も兼ねるように、押出部材２１と被復帰部材が共通の部材により構成されているのである。
【００５０】
図２は、実施例１に係る本発明の押出装置１における被押出部材３を示す模式図（（ａ）正面図、（ｂ）側面図）であり、本実施例においては、ある程度の厚みのあるブロック体を被押出部材３として採用している。
【００５１】
図３は、実施例１に係る本発明の押出装置１における復帰部材４を示す模式図（（ａ）正面図、（ｂ）側面図）であり、本実施例における復帰部材４は、スプリングコイル４１により通常は実線で表記した状態を維持するが、図中Ｂの方向から負荷が与えられると、当該負荷を逃がす方向へ回転移動し、破線で表記した状態に変形するように構成されている。
【００５２】
図４は、前記押出機構２、被押出部材３及び復帰部材４からなる本発明の押出装置１を備えてなる本発明のスライド装置５を示す模式図であり、スライド装置５内に供えた押出装置１が視認できるように、スライド装置５における基部５１及びスライダー５２を透過状態で示したものである。
【００５３】
なお、本実施例におけるスライド装置５に対する押出装置１の取り付けについては、押出機構２を基部５１に取り付ける一方で、スライダー５２に被押出部材３及び復帰部材４を取り付けたものである。
【００５４】
特に、基部５１に対する押出装置１の取り付けにあたっては、押出装置１における移動経路２２が、スライダー５２の移動方向に対して傾きが生じるように取り付けており、即ち、スライダー５２の基部５１に戻る方向への運動に応じて、復帰部材４に押された押出部材２１（被復帰部材）が徐々に復帰部材４から離れるように取り付けている。
【００５５】
一方、スライダー５２に対する被押出部材３及び復帰部材４の取り付けにあたっては、スライダー５２の進出方向前部に被押出部材３を備え、その後部に復帰部材４を備え、押出機構２が原点の状態の際に、該押出機構２における押出部材２１が、被押出部材３と復帰部材４に挟まれるように配している。
【００５６】
ここで、この押出装置１を備えてなるスライド装置５の作動状態を図を追って説明すると、基部５１内にスライダー５２が収まり、移動阻止手段２３により押出部材２１の移動が阻止されている状態が原点の状態である（図５（ａ））。
【００５７】
そして、スライダー５２の前面に圧力が加わると、解除手段２５が押込まれ、移動阻止手段２３と押出部材２１の係合が解かれ、移動阻止手段２４が無効となった押出部材２１は、付勢手段２３による付勢力を受けて、被押出部材３を押しながら移動経路２２に沿って移動する（図５（ｂ））。
【００５８】
更にスライダー５２が移動すると、復帰部材４が押出部材２１の図中後方から接触するが、該復帰部材４は、図中前方から負荷が与えられると、当該負荷を逃がす方向へ回転移動・変形するように構成されているため、復帰部材４は押出部材２１を速やかに通過し（図５（ｃ））、スライダー５２の運動は妨げられることなく最終状態まで継続する（図５（ｄ））。
【００５９】
一方、スライダー５２が進出した状態から基部５１に向かってスライダー５２を押込むと、復帰部材４が押出部材２１（被復帰部材）の図中前方から接触する（図６（ａ））。
【００６０】
しかしながら、当該復帰部材４は、図中後方からの負荷に対しては移動・変形しない構造のため、当該復帰部材４はそのまま押出部材２１（被復帰部材）を押し続ける(図６（ｂ）)。
【００６１】
この際、復帰部材４に押されている押出部材２１（被復帰部材）は、連続的に復帰部材４から離れる傾きを付与された移動経路２２に沿って移動するため、徐々に復帰部材４から離れていく。
【００６２】
そして、押出部材２１が移動阻止手段２３と係合し得る地点を越えた後に、押出部材２１（被復帰部材）の端部を復帰部材４がすり抜けるのであり、これにより、押出部材２１が移動阻止手段２３と係合し、再度原点の状態に戻るのである（図６（ｃ））。
【実施例２】
【００６３】
図７は、前記押出機構２、被押出部材３及び復帰部材４からなる本発明の押出装置１を別の配置で備えてなる本発明のスライド装置５を示す模式図であり、スライド装置５内に供えた押出装置１が視認できるように、スライド装置５における基部５１及びスライダー５２を透過状態で示したものである。
【００６４】
なお、本実施例におけるスライド装置５に対する押出装置１の取り付けについては、押出機構２をスライダー５２に取り付ける一方で、基部５１に被押出部材３及び復帰部材４を取り付けたものである。
【００６５】
特に、スライダー５２に対する押出装置１の取り付けにあたっては、押出装置１における移動経路２２が、スライダー５２の移動方向に対して傾きが生じるように取り付けており、即ち、スライダー５２の基部５１に戻る方向への運動に応じて、復帰部材４に押された押出部材２１（被復帰部材）が徐々に復帰部材４から離れるように取り付けている。
【００６６】
一方、基部５１に対する被押出部材３及び復帰部材４の取り付けにあたっては、スライダー５２の進出方向前部に復帰部材４を備え、その後部に被押出部材３を備え、押出機構２が原点の状態の際に、該押出機構２における押出部材２１が、被押出部材３と復帰部材４に挟まれるように配している。
【００６７】
ここで、この押出装置１を備えてなるスライド装置５の作動状態を図を追って説明すると、基部５１内にスライダー５２が収まり、移動阻止手段２３により押出部材２１の移動が阻止されている状態が原点の状態である（図８（ａ））。
【００６８】
そして、スライダー５２の前面に圧力が加わると、解除手段２５が押込まれ、移動阻止手段２３と押出部材２１の係合が解かれ、移動阻止手段２３が無効となった押出部材２１は、付勢手段２３による付勢力を受けて、被押出部材３を押しながら移動経路２２に沿って移動する（図８（ｂ））。
【００６９】
更にスライダー５２が移動すると、押出部材２１が復帰部材４の図中後方から接触するが、該復帰部材４は、図中後方から負荷が与えられると、当該負荷を逃がす方向へ回転移動・変形するように構成されているため、押出部材２１は復帰部材４を速やかに通過し（図８（ｃ））、スライダー５２の運動は妨げられることなく最終状態まで継続する（図８（ｄ））。
【００７０】
一方、スライダー５２が進出した状態から基部５１に向かってスライダー５２を押込むと、押出部材２１（被復帰部材）が復帰部材４の図中前方から接触する（図９（ａ））。
【００７１】
しかしながら、当該復帰部材４は、図中前方からの負荷に対しては移動・変形しない構造のため、当該押出部材２１（被復帰部材）はそのまま復帰部材４を押し続ける(図９（ｂ）)。
【００７２】
この際、復帰部材４を押している押出部材２１（被復帰部材）は、連続的に復帰部材４から離れる傾きを持った移動経路２２に沿って移動するため、徐々に復帰部材４から離れていく。
【００７３】
そして、押出部材２１が移動阻止手段２３と係合し得る地点を越えた後に、押出部材２１（被復帰部材）の端部を復帰部材４がすり抜けるのであり、これにより、押出部材２１が移動阻止手段２３と係合し、再度原点の状態に戻るのである（図９（ｃ））。
【実施例３】
【００７４】
図１０は、実施例３に係る本発明の押出装置１における押出機構２を示す模式図であり、この押出機構２は、押出機構本体２６、移動経路２２としての屈曲したガイドに沿って移動する押出部材２１、前記押出部材２１の移動に付勢力を与えるための付勢手段２３、前記押出部材２１の移動を阻止する移動阻止手段２４、前記移動阻止手段２４を解除するための解除手段２５からなるものである。
【００７５】
即ち、本実施例に係る本発明の押出装置１における押出機構２は、移動経路２２が屈曲している以外は実施例１において説明したものと同じであり、前記実施例１では移動経路２２が直線状であったことから、押出部材２１（被復帰部材）は連続的に復帰部材４から離れるが、このような屈曲した移動経路２２を有する押出機構２を用いた場合、押出部材２１（被復帰部材）は段階的に復帰部材４から離れることになる。
【００７６】
その余は、前記実施例１と同様であり、繰り返しを避けるためここでは説明を省略する。
【実施例４】
【００７７】
図１１は、実施例４に係る本発明の押出装置１における押出機構２を示す模式図であり、この押出機構２は、押出機構本体２６、移動経路２２としての曲線状のガイドに沿って移動する押出部材２１、前記押出部材２１の移動に付勢力を与えるための付勢手段２３、前記押出部材２１の移動を阻止する移動阻止手段２４、前記移動阻止手段２４を解除するための解除手段２５からなるものである。
【００７８】
即ち、本実施例に係る本発明の押出装置１における押出機構２は、移動経路２２が曲線状であること以外は実施例１において説明したものと同じであり、前記実施例１では移動経路２２が直線状であったことから、押出部材２１（被復帰部材）は徐々（等速的）に復帰部材４から離れるのであるが、このような曲線状の移動経路２２を有する押出機構２を用いた場合、スライダー５２の移動方向に対する傾きが徐々に大きくなるため、速やか（加速的）に押出部材２１（被復帰部材）が復帰部材４から離れることになる。
【００７９】
その余は、前記実施例１と同様であり、繰り返しを避けるためここでは説明を省略する。
【実施例５】
【００８０】
図１２は、実施例５に係る本発明の押出装置１における押出機構２を示す模式図（（ａ）カバー２８を外した図、（ｂ）カバー２８を着けた図）であり、この押出機構２は、押出機構本体２６、移動経路２２としての直線状のガイドに沿って移動する押出部材２１及び被復帰部材２７、前記押出部材２１及び被復帰部材２２の移動に付勢力を与えるための付勢手段２３としての渦巻きバネ、付勢手段２３の付勢力を押出部材２１及び被復帰部材２２に伝達するためのアーム２９、前記押出部材２１の移動を阻止する移動阻止手段２４、前記移動阻止手段２４を解除するための解除手段２５からなるものである。
【００８１】
そして、この押出機構２においては、移動阻止手段２４に押出部材２１及び被復帰部材２７が係合し、その移動が阻止されている状態が原点であり（実線で表記）、解除手段２５の端部に図中Ａの方向から圧力が加わると、移動阻止手段２４と押出部材２１（及び被復帰部材２７）との係合が解かれると共に付勢手段２３による付勢力が押出部材２１（及び被復帰部材２７）に与えられ、移動経路２２に沿って押出部材２１（及び被復帰部材２７）が移動するのである（破線で表記）。
【００８２】
一方、付勢手段２３の付勢力に抗して被復帰部材２７（及び押出部材２１）を原点に戻すと、再び移動阻止手段２３と被復帰部材２７（及び押出部材２１）が係合し、被復帰部材２７（及び押出部材２１）の移動が阻止されるのである。
【００８３】
即ち、本実施例に係る押出機構２においては、押出部材２１及び被復帰部材２７が独立した部位に存するように構成されているのである。
【００８４】
又、本実施例に係る押出機構２においては、付勢手段２３として渦巻きバネが用いられており、作用点が移動して付勢力の方向が変化するため、付勢力に抗して押出機構２を原点の状態に戻す際に必要な労力を適宜調整することができるのである。
【００８５】
その余は前記実施例１と同様であることから繰り返しを避けるためここでは説明を省略する。
【実施例６】
【００８６】
図１３は、実施例６に係る本発明の押出装置１における押出機構２を示す模式図（（ａ）カバー２８を外した図、（ｂ）カバー２８を着けた図）であり、この押出機構２は、押出機構本体２６、移動経路２２としての直線状のガイドに沿って移動する被復帰部材２７、前記被復帰部材２２の移動に付勢力を与えるための付勢手段２３としての渦巻きバネ、付勢手段２３の付勢力を被復帰部材２２に伝達するためのアーム２９、前記アーム２９の端部に取り付けられた押出部材２１、前記被復帰部材２２の移動を阻止する移動阻止手段２４、前記移動阻止手段２４を解除するための解除手段２５からなるものである。
【００８７】
そして、この押出機構２においては、移動阻止手段２４に被復帰部材２７が係合し、その移動が阻止されている状態が原点であり（実線で表記）、解除手段２５の端部に図中Ａの方向から圧力が加わると、移動阻止手段２４と被復帰部材２７の係合が解かれると共に付勢手段２３による付勢力が被復帰部材２７に与えられ、移動経路２２に沿って被復帰部材２１が移動するのである（破線で表記）。
【００８８】
その際、アーム２９の端部に取り付けられた押出部材２１も弧を描きながら移動するのである（破線で表記）。
【００８９】
一方、付勢手段２３の付勢力に抗して被復帰部材２７を原点に戻すと、再び移動阻止手段２３と被復帰部材２７が係合し、被復帰部材２７の移動が阻止されるのである。
【００９０】
即ち、本実施例に係る押出機構２においては、押出部材２１をアームの端部に備え付けることにより、押出部材２１と被復帰部材とが独立した部材となるように構成されているのである。
【００９１】
又、本実施例に係る押出機構２においては、付勢手段２３として渦巻きバネが用いられており、作用点が移動して付勢力の方向が変化するため、付勢力に抗して押出機構２を原点の状態に戻す際に必要な労力を適宜調整することができるのである。
【００９２】
その余は前記実施例１と同様であることから繰り返しを避けるためここでは説明を省略する。
【実施例７】
【００９３】
図１４は、実施例７に係る本発明の押出装置１における押出機構２を示す模式図であり、この押出機構２は、押出機構本体２６、移動経路２２としての直線状のガイドを移動する押出部材２１、前記押出部材２１の移動に付勢力を与えるための付勢手段２３、前記押出部材２１の移動を阻止する移動阻止手段２４、前記移動阻止手段２４を解除するための解除手段２５からなるものである。
【００９４】
又、この押出機構２における押出部材２１は、スプリングコイル２１１により通常は実線で表記した状態を維持するが、図中上方から負荷が与えられると、当該負荷を逃がす方向へ屈曲し、破線で表記した状態に変形するように構成されている。
【００９５】
即ち、この押出機構２は、スライダー５２の運動の継続を妨げないようにする手段として、押出部材２１と復帰部材４の接触に応じて、押出部材の方が屈曲（回転）するように構成したものであり、図１５（ａ）に示すように、一定の方向からの負荷に対してはその負荷を逃がす方向に屈曲し、一方、図１５（ｂ）に示すように、反対方向からの負荷に対しては、屈曲することなくその負荷を受けるのである。
【００９６】
その余は前記実施例１と同様であることから繰り返しを避けるためここでは説明を省略する。
【実施例８】
【００９７】
図１６は、実施例６に係る本発明の押出装置１における押出機構２を示す模式図（（ａ）正面図、（ｂ）右側面図）であり、この押出機構２は、押出機構本体２６、移動経路２２としての直線状のガイドに沿って移動する押出部材２１、前記押出部材２１の移動に付勢力を与えるための付勢手段２３、前記押出部材２１の移動を阻止する移動阻止手段２４、前記移動阻止手段２４を解除するための解除手段２５からなるものである。
【００９８】
又、この押出機構２における押出部材２１の端部には、テーパ２１２が備えられている。
【００９９】
即ち、この押出機構２は、スライダー５２の運動の継続を妨げないようにする手段として、押出部材２１と復帰部材４の接触に応じて、テーパ２１２に沿って復帰部材４が押出部材２１上を乗り越えるように構成したものであり、図１７（ａ）に示すように、一定方向からの復帰部材４の接触に対しては、復帰部材４が押出部材２１上を乗り越えるのであり、一方、図１７（ｂ）に示すように、反対方向からの復帰部材４の接触に対しては、復帰部材４が乗り越えることがなく、その負荷を受けるのである。
【０１００】
その余は前記実施例１と同様であることから繰り返しを避けるためここでは説明を省略する。
【図面の簡単な説明】
【０１０１】
【図１】図１は、実施例１に係る本発明の押出装置における押出機構を示す模式図である。
【図２】図２は、実施例１に係る本発明の押出装置における被押出部材を示す模式図である。
【図３】図３は、実施例１に係る本発明の押出装置における復帰部材を示す模式図である。
【図４】図４は、実施例１に係る本発明の押出装置を備えてなる本発明のスライド装置を示す模式図である。
【図５】図５は、その作動状態（開方向）を示す模式図である。
【図６】図６は、その作動状態（閉方向）を示す模式図である。
【図７】図７は、実施例２に係る本発明の押出装置を備えてなる本発明のスライド装置を示す模式図である。
【図８】図８は、その作動状態（開方向）を示す模式図である。
【図９】図９は、その作動状態（閉方向）を示す模式図である。
【図１０】図１０は、実施例３に係る本発明の押出装置における押出機構を示す模式図である。
【図１１】図１１は、実施例４に係る本発明の押出装置における押出機構を示す模式図である。
【図１２】図１２は、実施例５に係る本発明の押出装置における押出機構を示す模式図である。
【図１３】図１３は、実施例６に係る本発明の押出装置における押出機構を示す模式図である。
【図１４】図１４は、実施例７に係る本発明の押出装置における押出機構を示す模式図である。
【図１５】図１５は、その動作状態を示す模式図である。
【図１６】図１６は、実施例８に係る本発明の押出装置における押出機構を示す模式図である。
【図１７】図１５は、その動作状態を示す模式図である。
【符号の説明】
【０１０２】
１  押出装置
２  押出機構
３  被押出部材
４  復帰部材
５  スライド装置
２１  押出部材
２２  移動経路
２３  付勢手段
２４  移動阻止手段
２５  解除手段
２６  押出機構本体
２７  被復帰部材
２８  カバー
２９  アーム
５１  基部
５２  スライダー
【図１】
2007190310.tif 000003
【図２】
2007190310.tif 000004
【図３】
2007190310.tif 000005
【図４】
2007190310.tif 000006
【図５】
2007190310.tif 000007
【図６】
2007190310.tif 000008
【図７】
2007190310.tif 000009
【図８】
2007190310.tif 000010
【図９】
2007190310.tif 000011
【図１０】
2007190310.tif 000012
【図１１】
2007190310.tif 000013
【図１２】
2007190310.tif 000014
【図１３】
2007190310.tif 000015
【図１４】
2007190310.tif 000016
【図１５】
2007190310.tif 000017
【図１６】
2007190310.tif 000018
【図１７】
2007190310.tif 000019